(57)【特許請求の範囲】
【請求項１】
データを取得するデータ取得部と、
上記取得したデータより第１の出力信号を生成する出力信号生成部と、
上記出力信号生成部が生成した第１の出力信号に基づく出力を少なくとも行う出力部と、
上記出力部が、第１の出力信号に基づく出力を行うのを禁止する禁止条件の充足を監視し、当該禁止条件の充足を確認したときに、上記出力部が第１の出力信号に基づく出力を行わないようにする出力可否設定部と、
上記出力信号生成部から供給される第１の出力信号の入力と、上記出力信号生成部とは別の部位から供給される第２の出力信号の入力とを含む複数の入力の内のいずれかに入力を切り替えて、切り替えた出力を上記出力部に出力する切替部とを備え、
上記出力可否設定部は、上記切替部において、第１の出力信号の入力が、第１の出力信号の入力以外の入力に切り替わってから所定の時間が経過したときに、上記禁止条件が充足されたと判断すること
を特徴とする情報処理装置。
【請求項２】
上記出力可否設定部は、上記出力部において、第１の出力信号に基づく出力が行われなくなる指示が、上記情報処理装置に与えられたときに、上記禁止条件が充足されたと判断することを特徴とする請求項１に記載の情報処理装置。
【請求項３】
上記出力可否設定部が、上記禁止条件の充足を確認した場合に、
上記出力信号生成部が、上記第１の出力信号および第２の出力信号とは異なる信号を生成することを特徴とする請求項１または２に記載の情報処理装置。
【請求項４】
データを取得するデータ取得部と、
上記取得したデータより第１の出力信号を生成する出力信号生成部と、
上記出力信号生成部が生成した第１の出力信号に基づく出力を少なくとも行う出力部と、
上記出力信号生成部から供給される第１の出力信号の入力と、上記出力信号生成部とは別の部位から供給される第２の出力信号の入力とを含む複数の入力の内のいずれかに入力を切り替えて、切り替えた出力を上記出力部に出力する切替部とを備えた情報処理装置の情報処理方法であって、
取得したデータより上記第１の出力信号を生成して、その第１の出力信号に基づく出力を上記出力部が行う場合に、
上記切替部において、第１の出力信号の入力が、第１の出力信号の入力以外の入力に切り替わってから所定の時間が経過したかどうかを監視するステップと、
当該所定の時間が経過したことを確認したときに、上記出力部が第１の出力信号に基づく出力を行わないようにするステップと、
を実行することを特徴とする情報処理方法。
【請求項５】
請求項１から３の何れか１項に記載の情報処理装置が備えた各部として、コンピュータを機能させることを特徴とする情報処理プログラム。
【請求項６】
請求項４に記載の情報処理方法に含まれた各ステップを、コンピュータに実行させることを特徴とする情報処理プログラム。
【請求項７】
請求項５または６に記載の情報処理プログラムを格納したコンピュータ読取可能な記録媒体。
【発明の詳細な説明】
【技術分野】
【０００１】
本発明は、取得した信号から情報を取り出し、取り出した情報に基づく出力をユーザに提示する機能を有する情報処理装置に関するものである。
【背景技術】
【０００２】
近年のカメラ付携帯電話の流行と普及に伴い、高機能化し、かつ画素数の大きなカメラが携帯電話に搭載されるようになった。これにより、携帯電話の小さな画面ではなく、テレビのような大きな画面で、撮影した画像や動画を見たいというユーザの要望が強くなっている。
【０００３】
実際に非特許文献１では、パーソナルコンピュータを使用せずにデジタルカメラやカメラ付携帯電話で撮影した写真をテレビで見ることができる機器が紹介されている。この機器をテレビの外部入力端子に接続し、写真を記録したメモリーカードをセットして操作すると、メモリーカード内の写真（画像）がテレビに表示される。
【０００４】
このとき、テレビの外部入力端子から入力された画像を表示するためには、テレビの入力を外部入力端子に切り替える必要がある。また、テレビの所望のチャンネルにて入力された画像を表示するためには、テレビの入力を当該チャンネルに切り替える必要がある。
【０００５】
一方、特許文献１には、テレビ放送受信機能を有するテレビ部と、インターネット通信機能を有するインターネット部とを備えたインターネットテレビに関する技術が開示されている。そのインターネットテレビでは、使用者がインターネットモードでテレビチャンネル情報を提供するウェブサーバーに接続した後、所望のチャンネルを画面上でクリックすれば、インターネット部のＣＰＵがウェブブラウザープログラムを実行し、テレビチャンネル変更命令信号と該当チャンネル番号とをテレビ部の制御部に送るようになっている。これにより、ウェブブラウザーを操作するだけで、テレビ部を操作することなく所望のチャンネルに変更することが可能である。
【特許文献１】特開２００１―９４９６６号公報（２００１年０４月０６日公開）
【非特許文献１】http://pac.mediadrive.jp/mcp/outline2.html (２００５年１０月２８日確認)
【発明の開示】
【発明が解決しようとする課題】
【０００６】
しかしながら、非特許文献１および特許文献１にそれぞれ開示された技術では、チャンネル変更や入力切り替えを行う前に表示されていた、画像データやチャンネル情報を消去するという点については開示も示唆もなされていない。
【０００７】
例えば、非特許文献１の技術では、テレビの外部入力端子を介して画像をテレビに一旦表示させると、テレビの状態（選択された入力／チャンネル）に関わらず、写真の画像が機器からテレビの外部入力端子に出力されている。つまり、テレビへの入力を他の外部入力端子へ切り替えたり、テレビチャンネルを変更したことによって、メモリーカード内の写真が画面に表示されていない場合でも、機器から写真の画像データが外部入力端子に出力されている。
【０００８】
このため、メモリーカード内の写真をテレビに表示したままチャンネルを変え、写真をテレビに表示していたことを忘れて席を立ってしまったような場合、同席していた他人が、テレビへの入力を外部入力端子からの入力に切り替えると、外部入力端子に出力中の画像データが表示され、他人に見られてしまうという事態が起きる。
【０００９】
また、特許文献１の技術においても、プログラムをチャンネルに割り当てる技術は開示されているが、チャンネルを変えたときに、表示されなくなった画像やチャンネルの情報をどう扱うかについては何も開示されていない。通常、ウェブブラウザーでは、現在視聴中のウェブ画面から過去に視聴していたウェブ画面に戻ることができるため、非特許文献１の機器と同様に、過去に視聴していたウェブ画面を他人に見られてしまうという事態が起きる。
【００１０】
従って、本発明は前記問題点を解決するために創出されたものであって、使用者の視聴していた、個人的に撮影、録音した動画や静止画、音声データなどが意図せずに他人に視聴されることを防ぎ、プライバシーを保護することができる情報処理装置を提供することを目的としている。
【課題を解決するための手段】
【００１１】
・本発明に係る情報処理装置は、上記の課題を解決するために、データを取得するデータ取得部と、上記取得したデータより第１の出力信号を生成する出力信号生成部と、上記出力信号生成部が生成した第１の出力信号に基づく出力を少なくとも行う出力部と、上記出力部が、第１の出力信号に基づく出力を行うのを禁止する禁止条件の充足を監視し、当該禁止条件の充足を確認したときに、上記出力部が第１の出力信号に基づく出力を行わないようにする出力可否設定部と、を備えたことを特徴とする。
【００１２】
上記の構成によれば、データ取得部がデータを取得し、出力信号生成部が上記取得したデータより第１の出力信号を生成したとしても、第１の出力信号に基づく出力を出力部に無条件に行わせることがない。
【００１３】
すなわち、出力部に、第１の出力信号に基づく出力を行わせてよいかどうかを、出力可否設定部が決めるようになっている。つまり、出力可否設定部は、出力部が、第１の出力信号に基づく出力を行うのを禁止する禁止条件の充足を監視している。そして、出力可否設定部は、禁止条件の充足を確認したときに、第１の出力信号に基づく出力を上記出力部に行わせないようにする。
【００１４】
したがって、第１の出力信号に基づく出力を無条件に出力部に行わせる場合と比較して、第１の出力信号に基づく出力に関するプライバシーを保護することができる。また、データ取得部で取得されたデータに基づく出力信号が、出力信号生成部において生成されていることを、操作者が認識していなくても、その出力信号に基づく出力には条件が課されているので、操作者が個人的に視聴していた情報の内容について他者に知られることを防ぐことができる。
【００１５】
なお、禁止条件をどのように定めるかは任意であり、出力可否設定部が禁止条件の充足を判定できるように予め設定しておけば足りる。また、第１の出力信号についても、動画、静止画、音声、テキストなど、各種の情報を含む信号が包含され、特に限定はされない。
【００１６】
・本発明に係る情報処理装置は、上記出力信号生成部から供給される第１の出力信号の入力と、上記出力信号生成部とは別の部位から供給される第２の出力信号の入力とを含む複数の入力の内のいずれかに入力を切り替えて、切り替えた出力を上記出力部に出力する切替部を備え、上記出力可否設定部は、上記切替部において、第１の出力信号の入力が、第１の出力信号の入力以外の入力に切り替わったときに、上記禁止条件が充足されたと判断することを特徴とする。
【００１７】
上記の構成において、第１の出力信号の入力が第１の出力信号の入力以外の入力に切り替わったときとは、出力部が、第１の出力信号に基づく出力を行っていた状態から、第１の出力信号以外の入力に基づく出力を行う状態に切り替わったことを意味する。このような出力状態の遷移が生じた場合に、出力可否設定部は禁止条件が充足されたと判断し、出力部が第１の出力信号に基づく出力を行わないようにする。
【００１８】
このため、上記切替部の入力が、再び第１の出力信号の入力に戻されたとしても、出力可否設定部が、既に、出力部に対して、第１の出力信号に基づく出力を禁止しているので、第１の出力信号に基づく出力が不用意になされてしまい、プライバシーを守れないという事態を回避することができる。
【００１９】
・本発明に係る情報処理装置は、上記出力信号生成部から供給される第１の出力信号の入力と、上記出力信号生成部とは別の部位から供給される第２の出力信号の入力とを含む複数の入力の内のいずれかに入力を切り替えて、切り替えた出力を上記出力部に出力する切替部を備え、上記出力可否設定部は、上記切替部において、第１の出力信号の入力が、第１の出力信号の入力以外の入力に切り替わった後、再び第１の出力信号の入力に切り替わったときに、上記禁止条件が充足されたと判断してもよい。
【００２０】
・本発明に係る情報処理装置は、上記出力信号生成部から供給される第１の出力信号の入力と、上記出力信号生成部とは別の部位から供給される第２の出力信号の入力とを含む複数の入力の内のいずれかに入力を切り替えて、切り替えた出力を上記出力部に出力する切替部を備え、上記出力可否設定部は、上記切替部において、第１の出力信号の入力が、第１の出力信号の入力以外の入力に切り替わってから所定の時間が経過したときに、上記禁止条件が充足されたと判断することを特徴とする。
【００２１】
上記の構成によれば、第１の出力信号の入力が、第１の出力信号の入力以外の入力に切り替わったときに、第１の出力信号に基づく出力が行われないようにする構成と比較すると、操作者による情報処理装置の使用形態の幅が広がる。
【００２２】
すなわち、所定の時間が経過する前の時点では、第１の出力信号の入力を、第１の出力信号の入力以外の入力に切り替えたあと、再び、第１の出力信号の入力に切り替えることが許容される。このため、例えば、第２の出力信号に基づく出力の状態を短時間だけ確かめて、第１の出力信号に基づく出力の視聴に戻るというような使い方をすることができる。
【００２３】
・本発明に係る情報処理装置は、上記出力可否設定部は、上記出力部において、第１の出力信号に基づく出力が開始されてから所定の時間が経過したときに、上記禁止条件が充足されたと判断することを特徴とする請求項１に記載の情報処理装置。
【００２４】
上記の構成によれば、第１の出力信号に基づく出力を所定の時間以上行わせないことによって、第１の出力信号に基づく出力に関するプライバシーを保護することができる。
【００２５】
なお、出力部において、第１の出力信号に基づく出力が開始されてから所定の時間が経過したことは、出力可否設定部が、出力信号生成部の出力状態を監視する方法、切替部の入力状態または出力状態を監視する方法などを採用することができ、特に限定はされない。
【００２６】
・本発明に係る情報処理装置は、上記出力可否設定部は、上記出力部において、第１の出力信号に基づく出力が行われなくなる指示が、上記情報処理装置に与えられたときに、上記禁止条件が充足されたと判断することを特徴とする。
【００２７】
上記の構成において、上記出力部において、第１の出力信号に基づく出力が行われなくなる指示には、様々な指示が該当する。例えば、情報処理装置の電源や、情報処理装置の表示部の電源をＯＦＦにする指示が、その一例である。このほかに、切替部の入力を切り替える指示も該当する。さらに、情報処理装置がテレビ受像機としての機能を有している場合に、第１の出力信号に基づく出力が行われていた状態から、テレビのチャンネルを選択する指示も、本請求項の指示に該当する。
【００２８】
なお、出力信号生成部が、生成した第１の出力信号を出力するのを停止する指示や、データ取得部が取得したデータを蓄積しておくメモリから、データを消去する指示を本請求項の指示に含めることもできる。
【００２９】
また、本請求項の指示が情報処理装置に与えられたときに、第１の出力信号に基づく出力が行われているかいないかは、特に限定されない。
【００３０】
本請求項の指示が情報処理装置に与えられたとき、上記出力可否設定部は、上記禁止条件が充足されたと判断し、前記のとおり、その判断に基づいて、上記出力部に第１の出力信号に基づく出力が行われないようにする。したがって、第１の出力信号に基づく出力に関するプライバシーを保護することができる。
【００３１】
・本発明に係る情報処理装置は、上記出力可否設定部が、上記禁止条件の充足を確認した場合に、上記出力信号生成部が、上記第１の出力信号および第２の出力信号とは異なる信号を生成することを特徴とする。
【００３２】
ここで、上記出力可否設定部が、上記禁止条件の充足を確認した場合に、単に、第１の出力信号に基づく出力が行われないようにするだけでは、操作者に無出力状態が提示されることになる。それよりも、出力信号生成部が、上記第１の出力信号および第２の出力信号とは異なる信号を生成することによって、その異なる信号に基づく出力状態を操作者に提示することができる。したがって、第１の出力信号に基づく出力が行われなかったことを、操作者が容易に理解できるという効果を奏する。
【００３３】
この効果を増幅するには、上記異なる信号が、例えば、第１の出力信号に基づく出力は行われませんというようなメッセージを表示する信号や、ブルーバック画面を表示する信号であることが、なお好ましい。
【００３４】
・本発明に係る情報処理装置は、無線通信部と、上記無線通信部で受信した信号に、主情報の信号または特定信号が含まれているかどうかを判別し、主情報の信号または特定信号を受信した信号から取得する信号処理部と、上記信号処理部が取得した主情報の信号を出力する出力部と、上記信号処理部が上記特定信号を判別したときに、上記出力部が上記主情報の信号を出力しないようにする出力可否設定部と、を備えたことを特徴とする。
【００３５】
上記の構成によれば、無線通信部で受信した信号に特定信号が含まれていれば、無線通信部で受信した信号から、信号処理部が主情報の信号を取得したとしても、出力可否設定部によって、出力部に主情報の信号を出力させることが禁止される。
【００３６】
したがって、無線通信部で受信した信号に、主情報の信号が含まれていれば、無条件に主情報の信号を出力する構成と比べて、主情報の信号の出力に関するプライバシーを保護することができる。
【００３７】
なお、特定信号をどのような信号に定めるかは任意であり、信号処理部が特定信号を判別できるように予め設定しておけば足りる。また、主情報についても、情報の使途に関して主たる情報であればよく、動画、静止画、音声、テキストなど、各種の情報が包含され、特に限定はされない。
【００３８】
・本発明に係る情報処理装置は、上記信号処理部が上記特定信号を判別したことに応じて、上記無線通信部で受信した信号とは異なる信号を生成することを特徴とする。
【００３９】
ここで、上記信号処理部が特定信号を判別したときに、出力可否設定部が、単に、主情報の信号に基づく出力が行われないようにするだけでは、操作者に無出力状態が提示されることになる。それよりも、信号処理部が、無線通信部で受信した信号とは異なる信号を生成することによって、その異なる信号に基づく出力状態を操作者に提示することができる。したがって、主情報の信号に基づく出力が行われなかったことを、操作者が容易に理解できるという効果を奏する。
【００４０】
この効果を増幅するには、上記異なる信号が、例えば、主情報の信号に基づく出力は行われませんというようなメッセージを表示する信号や、ブルーバック画面を表示する信号であることが、なお好ましい。
【００４１】
・本発明に係る情報処理方法は、取得したデータより第１の出力信号を生成して、その第１の出力信号に基づく出力を出力部が行う場合に、第１の出力信号に基づく出力を行うことを、上記出力部に対して禁止する禁止条件の充足を監視するステップと、当該禁止条件の充足を確認したときに、上記出力部が第１の出力信号に基づく出力を行わないようにするステップと、を実行することを特徴とする。
【００４２】
上記の構成によれば、取得したデータより第１の出力信号が生成されたとしても、第１の出力信号に基づく出力を出力部に無条件に行わせることがないので、第１の出力信号に基づく出力に関するプライバシーを保護することができる。
【００４３】
・本発明に係る情報処理方法は、受信した信号に、主情報の信号または特定信号が含まれているかどうかを判別し、主情報の信号または特定信号を受信した信号から取得するステップと、上記特定信号を検出したときに、上記主情報の信号に基づく出力を行う出力部に主情報の信号を出力させないようにするステップと、を備えたことを特徴とする。
【００４４】
上記の構成によれば、受信した信号に特定信号が含まれていれば、受信した信号から主情報の信号を取得したとしても、出力部に主情報の信号を出力させないようにする。
【００４５】
したがって、受信した信号に、主情報の信号が含まれていれば、無条件に主情報の信号を出力する構成と比べて、主情報の信号の出力に関するプライバシーを保護することができる。
【００４６】
なお、出力部に主情報の信号を出力させないようにするステップとは、出力部を直接制御する処理に限らず、出力部に渡さないようにする処理、または主情報の信号自体を削除してしまう処理などが含まれる。
【００４７】
・本発明に係る情報処理プログラムは、上記の情報処理装置が備えた各部として、コンピュータを機能させることを特徴とする。
【００４８】
また、本発明に係る情報処理プログラムは、上記の情報処理方法に含まれた各ステップを、コンピュータに実行させることを特徴とする。
【００４９】
これにより、本発明に係る情報処理プログラムをコンピュータにロードすれば、該コンピュータを情報処理装置として機能させたり、コンピュータに本発明の情報処理方法を実行させることができ、既に説明した種々の作用効果を得ることができる。
【００５０】
なお、上記情報処理プログラムを格納したコンピュータ読取可能な記録媒体も、本発明の範疇に含まれる。
【００５１】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【発明の効果】
【００５２】
本発明に係る情報処理装置は、以上のように、上記出力部が、第１の出力信号に基づく出力を行うのを禁止する禁止条件の充足を監視し、当該禁止条件の充足を確認したときに、上記出力部が第１の出力信号に基づく出力を行わないようにする出力可否設定部を備えたことを特徴とする。
【００５３】
また、本発明に係る情報処理方法は、第１の出力信号に基づく出力を行うことを、上記出力部に対して禁止する禁止条件の充足を監視するステップと、当該禁止条件の充足を確認したときに、上記出力部が第１の出力信号に基づく出力を行わないようにするステップと、を実行することを特徴とする。
【００５４】
それゆえ、第１の出力信号に基づく出力を無条件に出力部に行わせる場合と比較して、第１の出力信号に基づく出力に関するプライバシーを保護することができるという効果を奏する。
【００５５】
本発明に係る情報処理装置は、以上のように、上記信号処理部が上記特定信号を判別したときに、上記出力部が上記主情報の信号を出力しないようにする出力可否設定部を備えたことを特徴とする。
【００５６】
また、本発明に係る情報処理方法は、主情報の信号または特定信号を受信した信号から取得するステップと、上記特定信号を取得したときに、上記主情報の信号に基づく出力を行う出力部に主情報の信号を出力させないようにするステップと、を備えたことを特徴とする。
【００５７】
それゆえ、受信した信号に、主情報の信号が含まれていれば、無条件に主情報の信号を出力する構成と比べて、主情報の信号の出力に関するプライバシーを保護することができるという効果を奏する。
【発明を実施するための最良の形態】
【００５８】
まず、本発明の情報処理装置の骨子をなす構成について説明する。
図１に示すように、本発明に係る情報処理装置１は、
データを取得するデータ取得部２と、
上記取得したデータより第１の出力信号を生成する出力信号生成部３と、
上記出力信号生成部３が生成した第１の出力信号に基づく出力を少なくとも行う出力部５と、
上記出力部５が、第１の出力信号に基づく出力を行うのを禁止する禁止条件の充足を監視し、当該禁止条件の充足を確認したときに、上記出力部５が第１の出力信号に基づく出力を行わないようにする出力可否設定部６と、
を備えている。
【００５９】
なお、上記情報処理装置１は、上記出力信号生成部３から供給される第１の出力信号の入力と、上記出力信号生成部３とは別の部位から供給される第２の出力信号の入力とを含む複数の入力（Ａ，Ｂ，Ｃ）の内のいずれかに入力を切り替える切替部４であって、出力部５の入力に出力が接続された切替部４を備えている。この切替部４を設けると、上記禁止条件の設定の仕方を、さらに多様化することができるというメリットが生まれる。
【００６０】
上記データ取得部２が取得するデータは、例えば、動画、静止画、音声、テキストなどの各種データの何れか、あるいはそれらを任意に組み合わせたデータであり、特に限定はされない。上記データが動画、静止画またはテキストのデータであれば、上記出力部５では第１の出力信号に基づく出力として表示出力が行われ、上記データが音声のデータであれば、上記出力部５では音声出力が行われる。
【００６１】
上記出力可否設定部６が充足を監視する上記禁止条件を以下に例示する。
(1)  上記切替部４において、入力が第１の出力信号から第２の出力信号に切り替えられた後、再び第１の出力信号に切り替えられたとき。
(2)  上記切替部４において、入力が第１の出力信号から第２の出力信号に切り替えられたとき。
(3)  上記切替部４において、入力が第１の出力信号から第２の出力信号に切り替えられた後、再び第１の出力信号に切り替えられる前に所定時間が経過したとき。なお、所定時間は任意に設定が可能である。
(4)  上記出力部５が、第１の出力信号の出力を開始してから所定の時間が経過したとき。
(5)  上記第１の出力信号に基づく出力が、上記出力部５において行われなくなるような指示が、上記情報処理装置１に与えられたとき。なお、操作部７と切替部４または出力可否設定部６との間の信号伝送は、有線か無線（赤外線通信を含む）かを問わない。
上記の禁止条件は一例であって、このほかにもいろいろな条件設定が可能である。
【００６２】
上記出力部５が第１の出力信号に基づく出力を行わないようにする出力可否設定部６の動作としては、出力信号生成部３が第１の出力信号を出力することを禁止する形態でもよいし、切替部４の入力を、信号入力が何も無いニュートラルの入力Ｃに切り替えるように、切替部４を制御する形態でもよいし、出力部５を制御して第１の出力信号に基づく出力が行われないようにする形態でもよい。
【００６３】
このように、情報処理装置１に出力可否設定部６を設けたことにより、出力可否設定部６が、所定の禁止条件の充足を確認すると、上記出力部５が第１の出力信号に基づく出力を行わないようにする。この結果、第１の出力信号に基づく出力が操作者の意図に反してなされてしまう事態を回避することができるので、第１の出力信号に基づく出力に関する操作者のプライバシーを保護する効果を得ることができる。
【００６４】
〔実施の形態１〕
本発明の実施の一形態について、図２〜図７に基づいてより具体的に説明すれば以下のとおりである。なお、本実施の形態では上記情報処理装置１の構成をテレビ受像機に適用した場合について説明する。
【００６５】
図３は、テレビ受像機１０の外観を示す正面図である。テレビ受像機１０は、表示部１１（第１の出力信号に基づく出力が映像である場合の前記出力部５に相当）と、音声出力部１２（第１の出力信号に基づく出力が音声である場合の前記出力部５に相当）と、アンテナ１３に接続されるF接栓と、ＤＶＤプレーヤ１４またはハードディスクレコーダ１５などの外部機器を接続する２つの外部入力端子と、赤外線通信デバイス１６とを備えている。
【００６６】
上記Ｆ接栓はアンテナからＶＨＦ信号を受信するコネクタであるが、ＵＨＦ、地上波デジタル、ＢＳ／ＣＳ放送（アナログ、デジタル）、ケーブルテレビ放送を受信する放送信号入力部であってもよい。
【００６７】
上記赤外線通信デバイス１６は、携帯電話やＰＤＡ（Ｐｅｒｓｏｎａｌ  Ｄｉｇｉｔａｌ  Ａｓｓｉｓｔａｎｃｅ）などの携帯端末などから赤外線信号に変換された画像データを受信するための受信部である。また、赤外線通信デバイス１６は、前記操作部７としてのリモートコントローラ（以下、リモコンと略称する）からテレビ受像機１０に対する操作コマンドを受信してもよい。なお、携帯端末がリモコンを兼ねて、携帯端末からテレビ受像機１０に対する操作コマンドを赤外線通信デバイス１６が受信してもよい。
【００６８】
テレビの操作コマンドを、赤外線を用いて送信する場合には、テレビ側では単純に操作コマンドを受信すればよい。テレビの操作コマンドはメーカーごとに異なり、統一されていない。
【００６９】
一方、この赤外線通信デバイス１６を用いて、信頼性の高い近距離の無線通信が可能である。IrDA(Infrared Data Association)は、赤外線を利用した近距離のデータ通信を行なう技術仕様を策定する業界標準化団体であり、同団体が定めた赤外線通信のプロトコルもIrDAと呼称される。
【００７０】
さらにIrDA方式のプロトコルを効率化してデータ転送速度を高速化したIrSimpleというプロトコルも存在し、同様に、業界標準化団体IrDAによって規格化されている。
【００７１】
本実施の形態では、画像データの受信にはIrDAまたはIrSimpleを用いるものとして説明を行なうが、他の通信方式を用いても良い。
【００７２】
赤外線通信プロトコルIrDAやIrSimpleによれば、双方向に赤外線のパケットを送受信することによりデータ通信が行なわれるため、IrDAやIrSimpleを用いる場合には、赤外線通信デバイス１６は赤外線の受光部のみならず、発光部も備えている必要がある。
【００７３】
なお、本実施の形態では、データ通信を行なう無線媒体として赤外線を用いて説明を行なうが、他の無線媒体を用いてデータ通信を行なってもよい。
【００７４】
特に、赤外線を含む光通信は指向性をもつ無線媒体であり、方向を定めて送信を行なうことで容易に送信先を定めることができるため、携帯端末からテレビ受像機に画像ファイルを送信するのに適している。
【００７５】
図４は、上記テレビ受像機１０における入力切替に伴う出力状態の変化を示す動作説明図である。
【００７６】
テレビ受像機１０は、「チューナ」「ビデオ１」「ビデオ２」「写真表示」の４つの入力モードを持つものとする。
【００７７】
入力モード「チューナ」は、F接栓から入力された放送信号の中から、所望のチャンネルの放送信号を抽出して表示するモードである。
【００７８】
入力モード「ビデオ１」は、ＤＶＤプレーヤ１４から入力された映像を表示するモードである。
【００７９】
入力モード「ビデオ２」は、ハードディスクレコーダ１５から入力された映像を表示するモードである。
【００８０】
入力モード「写真表示」は、赤外線通信デバイス１６が携帯端末１７から受信した画像を表示するモードである。入力モード「写真表示」において、画像データを受信していない場合には、ブルーバック画面あるいは「表示する写真がありません」というメッセージを表示することが好ましい。
【００８１】
リモコンに設けられた入力切替ボタンを操作者が押すことによって、トグル状に入力モードが変化する。つまり、入力モードが「チューナ」のときに入力切替ボタンを押すと、入力モードは「ビデオ１」となる。同様に入力切替ボタンを押すとそれぞれ、「ビデオ１」のときには「ビデオ２」に、「ビデオ２」のときは「写真表示」に、「写真表示」のときは「チューナ」に、それぞれ入力モードが変化する。
【００８２】
図２は、このような外観の構成および入力モードが変化するテレビ受像機１０に、図１で説明した本発明の構成を組み込んだ場合の内部構成を示すブロック図である。
【００８３】
本実施の形態では、前述したように、テレビ受像機１０が携帯端末１７から送信された写真を受信し表示する、「静止画の表示」に特化して説明を行っているため、その表示に必要な部位のみを図２に記している。
【００８４】
送信に用いるのは携帯端末に限らず、他の装置でも構わない。また、テレビ受像機１０が受信するデータは、写真に限らず、動画（音声付もしくは音声なしのいずれか）や、音声のみであってもよい。
【００８５】
図２に示すは、図１で説明した前記データ取得部２に相当する赤外線通信デバイス１６および受信画像処理部１８と、前記出力信号生成部３に相当する画像蓄積部３１および映像信号生成部３２と、前記切替部４に相当する入力切替部４’と、前記出力部５に相当する表示部５’と、前記出力可否設定部６に相当する監視部６１および映像信号出力可否設定部６２とを備えている。
【００８６】
さらに、は、前記操作部７と、Ｆ接栓２１、映像入力端子２２、映像入力端子２３と、チューナ処理部２４とを備えている。
【００８７】
上記F接栓２１は、放送信号を入力するコネクタであり、チューナ処理部２４に放送信号を供給する。チューナ処理部２４は、放送信号の中から、選択されたチャンネルの放送信号（図１で説明した第２の出力信号に属する）を取り出し、入力切替部４’へ送出する。
【００８８】
上記映像入力端子２２・２３は、図３で説明したＤＶＤプレーヤ１４およびハードディスクレコーダ１５に接続され、入力された各種信号（図１で説明した第２の出力信号に属する）を入力切替部４’へ送出する。
【００８９】
上記赤外線通信デバイス１６は、携帯端末１７からデータを受信し、受信画像処理部１８へ送る。受信画像処理部１８は、入力されたデータに含まれる画像ファイルを取り出し、取り出した画像ファイルを画像蓄積部３１に蓄積する。また、受信画像処理部１８は、画像蓄積部３１に画像ファイルが格納されているかを確認する動作や、画像蓄積部３１に画像ファイルを格納したことを映像信号出力可否設定部６２に知らせる動作も行う。
【００９０】
映像信号生成部３２は、画像蓄積部３１から画像ファイルを読み出し、デコードして静止画を取り出し、静止画を画像信号（図１で説明した第１の出力信号に属する）に変換する。もちろん、映像信号生成部３２は、動画ファイルをデコードして映像信号に変換してもよい。
【００９１】
なお、映像信号生成部３２は、画像信号に代わる信号として、表示部５’に青色画面（ブルーバック画面）を表示するための映像信号、若しくは図１９に示すように「写真は表示されていません」というようなメッセージを表示するための映像信号を生成することもできる。
【００９２】
入力切替部４’は、操作部７から指示された入力モードに応じて、入力切替部４’に対する入力経路を切り替える。すなわち、操作部７で入力モードとして「チューナ」が選択されると、入力切替部４’は、チューナ処理部２４が出力する放送信号を表示部５’に供給する。以下、同様に、操作部７で入力モードとして「ビデオ１」、「ビデオ２」または「写真表示」が選択されると、入力切替部４’は、映像入力端子２２・２３から入力された映像信号を表示部５’に供給するか、あるいは、映像信号生成部３２が出力する画像信号を表示部５’に供給する。
【００９３】
上記表示部５’は、入力切替部４’から供給された映像信号に基づき、映像の表示を行なう。
【００９４】
上記操作部７は、入力切替部４’に入力モードの切替指示を伝えるほか、に対し、各種操作の指示を伝える。なお、操作部７は、テレビ受像機１０に設けられたボタン等の入力インタフェースであってもよいし、無線通信を行うリモコンであってもよい。この場合、操作部７が発する指示（操作コマンド）は、赤外線通信デバイス１６または別の通信デバイスで受信され、指示の対象部位に伝えられる。
【００９５】
上記監視部６１は、入力切替部４’における入力経路の切り替えや、映像信号生成部３２の出力に基づいて、表示部５’に写真表示を行わない条件、すなわち禁止条件が充足されたかどうかを監視する。
【００９６】
監視部６１が、入力切替部４’における入力経路の切り替えを監視するために、操作部７が発する入力モード切替の指示が監視部６１に入力され、監視部６１が現在の入力モードを把握する構成でもよいし、入力切替部４’から入力経路の切替を示す信号を受け取る構成でもよいし、定期的（例えば１秒おき）に発生する割り込み信号に応じて監視部６１が入力切替部４’の入力モードを調べて変化が生じたかどうかを調べる構成であってもよい。
【００９７】
上記映像信号出力可否設定部６２は、監視部６１が禁止条件の充足を判定した結果に基づいて、写真の画像信号を出力することを映像信号生成部３２に許可するために、映像信号生成部３２において設定される映像信号出力許可フラグ（以下、単にフラグと呼ぶ）をＯＮにする制御信号、および写真の画像信号を出力することを映像信号生成部３２に禁止するために、映像信号生成部３２において設定されるフラグをＯＦＦにする制御信号を生成する。
【００９８】
あるいは、上記映像信号出力可否設定部６２は、禁止条件が充足された場合に、画像蓄積部３１に対して、メモリを消去する制御信号を発してもよい。
【００９９】
なお、本実施の形態においては、データ取得部２が赤外線通信によりデータを取得する例を挙げて説明しているが、データ取得部２の他の例として、メモリースティック、コンパクトフラッシュ（登録商標）カード、スマートメディア、SDカード、マルチメディアカード、マイクロドライブなどから画像ファイルを取得する構成を採用してもよい。
【０１００】
上記の構成を備えたテレビ受像機１０の動作を次に説明する。
図５は、赤外線通信デバイス１６が携帯端末１７から受信したデータが、画像蓄積部３１に蓄積されるまでの処理を示すフローチャートである。
【０１０１】
受信画像処理部１８は、赤外線通信デバイス１６を介して通信データを受信したことを確認すると（ステップ１；以下、Ｓ１のように略記する）、画像蓄積部３１に画像ファイルが存在するかどうかを確認する（Ｓ２）。Ｓ２で画像ファイルが存在しなければ、Ｓ４に処理が進む。
【０１０２】
Ｓ２で画像ファイルが存在すれば、受信画像処理部１８は、画像蓄積部３１からその画像ファイルを削除し（Ｓ３）、Ｓ４に処理が進む。なお、Ｓ２およびＳ３の処理は、画像蓄積部３１が写真１枚分の画像ファイルを蓄積する記憶容量しか持たない場合に実行される処理なので、画像蓄積部３１の記憶容量が充分大きい場合には、省略することができる。
【０１０３】
Ｓ４では、受信画像処理部１８は、通信データから画像ファイルを取り出し、画像蓄積部３１に蓄積し、新しい画像ファイルを画像蓄積部３１に蓄積したことを映像信号出力可否設定部６２に知らせる。
【０１０４】
新しい画像ファイルが画像蓄積部３１に蓄積されたことが、受信画像処理部１８から映像信号出力可否設定部６２に知らされると、映像信号出力可否設定部６２は、写真の画像信号を出力することを映像信号生成部３２に許可するために、映像信号生成部３２において設定されるフラグをＯＮにする制御信号を生成し、映像信号生成部３２に出力する（Ｓ５）。
【０１０５】
Ｓ５の処理のあとで、入力モードを「写真表示」に切り替えてもよい。Ｓ５の処理のあとでは、入力モードを「写真表示」に切り替えても、出力許可の判定そのものが行われないので、映像信号生成部３２から入力切替部４’に、写真の映像信号が問題なく出力され、表示部５’に表示される。
【０１０６】
なお、受信画像処理部１８は、新しい画像ファイルを画像蓄積部３１に蓄積したことを映像信号出力可否設定部６２に知らせると同時に、入力モードを「写真表示」に切り替える制御信号を生成して、入力切替部４’に出力しても良い。こうすると、受信画像処理部１８が新しい写真の画像データを受信するだけで、表示部５’に写真表示を行わせることができる。
【０１０７】
続いて、図６は、映像信号生成部３２が写真の画像データから映像信号を生成し、入力切替部４’に供給するか、またはブルーバック画面の映像信号を生成し、入力切替部４’に供給するかを振り分ける処理を示したフローチャートである。
【０１０８】
まず、映像信号生成部３２は、画像蓄積部３１にファイルが存在するかどうかを確認する（Ｓ６）。このＳ６の処理は、図５のＳ５の処理に連続して実行されてもよいし、入力モードが「写真表示」に切り替わったことを、映像信号生成部３２が監視部６１から知らされたときに開始されてもよい。
【０１０９】
いずれにしても、映像信号生成部３２は、画像蓄積部３１にファイルが存在することを確認（Ｓ６のＹｅｓ）した後、フラグがＯＮに設定されているかを確認する（Ｓ７）。Ｓ６の処理がＳ５の処理から連続している場合、Ｓ５でフラグがＯＮに設定されているので、Ｓ７からＳ８へ処理が進む。
【０１１０】
一方、Ｓ６の処理が、入力モードが「写真表示」に切り替わったことを、映像信号生成部３２が監視部６１から知らされたときに開始された場合には、Ｓ７におけるフラグの設定は、監視部６１における禁止条件の充足判断の結果によって異なる。監視部６１における禁止条件の充足判断については、あとで詳述する。
【０１１１】
Ｓ８では、映像信号生成部３２は、画像蓄積部３１から画像ファイルを取り出し、取り出した画像ファイルをデコードして映像信号を生成し（Ｓ９）、入力切替部４’に供給する（Ｓ１０）。
【０１１２】
これに対し、Ｓ７で、フラグがＯＦＦに設定されている場合、映像信号生成部３２は、ブルーバック画面を表示する映像信号を生成し（Ｓ１１）、入力切替部４’に供給する（Ｓ１０）。
【０１１３】
なお、図１に基づいて説明した第１の出力信号には、Ｓ９において生成された画像ファイルに基づく映像信号が該当するのであって、Ｓ１１において生成されたブルーバック画面を表示する映像信号は該当しない。
【０１１４】
また、「写真表示」の入力モードで表示部５’に表示する映像信号は、テレビの外部入力端子（映像入力端子２２・２３など）から取得する構成であってもよい。その場合、映像信号を蓄積する必要はなく、入力された映像信号を入力切替部４’に供給するだけでよい。また、外部入力端子からの映像信号の入力開始が確認された場合に、フラグをＯＮとする。
【０１１５】
一方、フラグがＯＮの状態で、入力モードが切り替わった場合に、映像信号の入力が継続している状態では、フラグはＯＮとしない。なぜなら、ユーザの意に反して、映像信号が表示部５’に表示されてしまわないようにしたいからである。つまり、映像信号を入力切替部４’に出力する、例えば「ビデオ１」などの入力モードから、「チューナ」などの他の入力モードに、入力モードを一旦切り替えた後でも、映像信号が入力切替部４’に出力され続けているとすれば、ユーザが再び「ビデオ１」などの入力モードに切り替えたときに、ユーザの意に反して、映像信号が表示部５’に表示されてしまうからである。
【０１１６】
なお、フラグがＯＦＦとなっている場合には、例えば外部機器（接続したビデオカメラなど）の電源を一旦切って、再度電源を入れることにより、フラグをＯＦＦからＯＮに変更することができる。
【０１１７】
次に、監視部６１における禁止条件の充足判断の具体例を説明する。
【０１１８】
（禁止条件の充足判断例１）
図７は、図１に基づいて説明した禁止条件(2)（切替部４において、入力が第１の出力信号から第２の出力信号に切り替えられたとき）の充足判断の一例を示すフローチャートである。なお、図７のフローチャートでは、入力モードの切り替えに応じて表示部５’に出力される映像信号がトグル状に遷移する処理が例示されている。
【０１１９】
入力モードの切り替えは、テレビ受像機１０の操作ボタンであっても、リモコンからの指示であってもかまわない。
【０１２０】
まず、操作部７に設けられた入力切替ボタンが押されると（Ｓ２１）、監視部６１は、現在の入力モードが「写真表示」か否かを判断する（Ｓ２２）。なお、入力切替ボタンは情報処理装置１ではなく、情報処理装置に操作コマンドを送信するリモコンに設けてもよい。現在の入力モードが「写真表示」である場合、入力切替ボタンが押されたことにより、図４で例説したとおり、入力モードは「写真表示」から「チューナ」に切り替わる（Ｓ２３）。したがって、入力切替部４’は、チューナ処理部２４が出力する放送信号（映像信号）を表示部５’に供給し（Ｓ２５）、表示部５’は供給された映像信号を出力する（Ｓ２６）。
【０１２１】
ここで、監視部６１は、入力モードが「写真表示」から写真表示以外のモードへ切り替わったことを検出すると、禁止条件が充足されたことを映像信号出力可否設定部６２に伝える。この結果、映像信号出力可否設定部６２は、映像信号生成部３２において設定されるフラグをＯＦＦにする制御信号を生成するので、映像信号生成部３２においてフラグがＯＦＦに設定される（Ｓ２４）。これにより、映像信号生成部３２は、写真の画像信号の出力を禁止される。
【０１２２】
このため、入力モードを再び「写真表示」に戻したとしても、映像信号生成部３２においてフラグがＯＦＦに設定されているので、不用意に表示部５’に写真が表示されてしまい、プライバシーを守れないという事態を回避することができる。
【０１２３】
Ｓ２２で、現在の入力モードが「写真表示」ではない場合、監視部６１は、現在の入力モードが「チューナ」か否かを判断する（Ｓ２７）。この結果、現在の入力モードが「チューナ」である場合、入力切替ボタンが押されたことにより、図４で例説したとおり、入力モードは「チューナ」から「ビデオ１」に切り替わる（Ｓ２８）。したがって、入力切替部４’は、「ビデオ１」に対応する、例えば映像入力端子２２を介して入力されるＤＶＤプレーヤ１４からの映像信号を表示部５’に供給し（Ｓ２９）、表示部５’は供給された映像信号を出力する（Ｓ２６）。
【０１２４】
Ｓ２７で、現在の入力モードが「チューナ」ではない場合、監視部６１は、さらに現在の入力モードが「ビデオ１」か否かを判断する（Ｓ３０）。この結果、現在の入力モードが「ビデオ１」である場合、入力切替ボタンが押されたことにより、図４で例説したとおり、入力モードは「ビデオ１」から「ビデオ２」に切り替わる（Ｓ３１）。したがって、入力切替部４’は、「ビデオ２」に対応する、例えば映像入力端子２３を介して入力されるハードディスクレコーダ１５からの映像信号を表示部５’に供給し（Ｓ３２）、表示部５’は供給された映像信号を出力する（Ｓ２６）。
【０１２５】
Ｓ３０で、現在の入力モードが「ビデオ１」でもない場合、現在の入力モードは、残りの「ビデオ２」ということになる。したがって、この入力モードのときに入力切替ボタンが押されたことにより、図４で例説したとおり、入力モードは「ビデオ２」から「写真表示」に切り替わる（Ｓ３３）。
【０１２６】
このフローでは、Ｓ２１の処理が始まった時点で、映像信号生成部３２において設定されたフラグはＯＮであることが前提になっている。したがって、入力切替部４’は、映像信号生成部３２から供給される写真の映像信号を表示部５’に供給し（Ｓ３４）、表示部５’は供給された映像信号を出力する（Ｓ２６）。
なお、Ｓ３４の処理を、図６に示すＳ６〜Ｓ１１の処理と置き換えてもよい。
【０１２７】
また、図８に示すように、Ｓ３３およびＳ３４の処理に、以下のようなＳ３３−１〜Ｓ３３−４の処理を付加してもよい。すなわち、Ｓ３３で入力モードが「写真表示」に切り替わった後、映像信号出力可否設定部６２が、一旦、映像信号生成部３２において設定されるフラグをＯＦＦにし（Ｓ３３−１）、受信画像処理部１８で新しい写真の画像データが受信されたかを判定する（Ｓ３３−２）。受信画像処理部１８で新しい写真の画像データが受信された場合、映像信号出力可否設定部６２は、映像信号生成部３２において設定されるフラグをＯＮにする（Ｓ３３−３）。この後、処理はＳ３４に進む。
【０１２８】
一方、Ｓ３３−２で、新しい写真の画像データは受信されていないと判定されると、その判定結果に基づいて、映像信号生成部３２は、ブルーバック画面（または、「表示する写真がありません」というメッセージ）の映像信号を生成し、表示部５’に供給する（Ｓ３３−４）。
【０１２９】
なお、操作部７に、写真表示を禁止する指示を受け付けるボタンや、画像蓄積部３１に蓄積された画像ファイルを消すボタンを設け、操作者の意志によって、写真表示がされないようにする構成を付加してもよい。その一例としては、図９に示すように、消すボタンが押下されると（Ｓ４１）、映像信号生成部３２のフラグがＯＦＦに設定される（Ｓ４２）とともに、画像蓄積部３１に蓄積された画像ファイルが削除される（Ｓ４３）。
【０１３０】
また、「消す」ボタンは情報処理装置１ではなく、情報処理装置に操作コマンドを送信するリモコンに設けてもよい。
【０１３１】
さらに、Ｓ４３において画像ファイルを削除せず、別の操作を受けたときに映像信号出力許可フラグをＯＮとして、すでに受信済みの画像ファイルを表示する映像信号を生成する構成であっても良い。別の操作とは、例えば携帯端末に設けられた「再表示指示」ボタンからの指示である。こうすることにより、入力モードを「写真表示」にした瞬間には残っている画像が表示されず、利用者から明確な指示を受けて初めて写真を表示することができる。
【０１３２】
Ｓ４３の処理のあと、入力モードを「チューナ」に設定してもよい（Ｓ４４）し、「写真表示」以外の他の入力モードに設定してもよい。
【０１３３】
（禁止条件の充足判断例２）
図７・８に示すフローチャートでは、現在の入力モードが「写真表示」から「写真表示」以外の入力モードに切り替わったという禁止条件(2)の充足を監視部６１が検出して、映像信号生成部３２においてフラグをＯＦＦに設定する場合について説明した。
【０１３４】
しかしながら、禁止条件としてはこれに限らず、禁止条件(1)として説明したように、入力モードが「写真表示」から「写真表示」以外の入力モードに切り替わったあと、再び「写真表示」の入力モードに戻ったことを監視部６１が検出したときに、映像信号生成部３２においてフラグをＯＦＦに設定してもよい。
【０１３５】
この場合、映像信号出力可否設定部６２が、受信画像処理部１８で新しい写真の画像データが受信されたかを判定し、画像蓄積部３１に蓄積された画像ファイルが更新されていないのに、再び「写真表示」の入力モードに戻ったという場合に、映像信号生成部３２におけるフラグをＯＦＦに設定してもよい。
【０１３６】
（禁止条件の充足判断例３）
次に、前述した禁止条件(3)（上記切替部４において、入力が第１の出力信号から第２の出力信号に切り替えられた後、所定時間が経過したとき）の充足を監視部６１が判断する例を図１０に基づいて説明する。
【０１３７】
図１０に示すフローチャートでは、図７のＳ２４の処理がＳ２３−Ａの処理に置き換わり、さらに、図７のＳ３３とＳ３４の各処理の間に、Ｓ３３−Ａの処理が挿入されている。これらの点を除く他のステップについては、図７と図１０とで処理内容が同じである。
【０１３８】
Ｓ２３において、入力モードは「写真表示」から「チューナ」に切り替わったとき、その切り替わりに応じてすぐに、映像信号生成部３２におけるフラグをＯＦＦに設定するのではなく、入力モードが「写真表示」から「チューナ」に切り替わったあとの経過時間を監視部６１が計測する。
【０１３９】
そのために、監視部６１は、Ｓ２３−Ａにおいて、タイマを起動する。なお、写真出力終了後の経過時間が基準時間を超えた場合に、映像信号生成部３２におけるフラグをＯＦＦに設定するタイムアウト処理を実行する。
【０１４０】
一方、Ｓ３３−Ａにおいて、入力モードが「ビデオ２」から「写真表示」に切り替わったとき、監視部６１は入力モードが「写真表示」から「チューナ」に切り替わったあとの経過時間の計測を中止する。
【０１４１】
図１１を用いてタイマ（写真出力終了タイマ）の上記タイムアウト処理について説明する。本処理は、例えば定期的（例えば１秒おき）に発生する割り込み信号に基づいて起動される場合を想定した処理フローとして記しているが、タイマを起動した後、所定の基準時間後に割り込み信号が発生させて、同様の処理を行なう構成であってもよい。
【０１４２】
まず監視部６１は、タイマがカウント中かどうかを判定する（Ｓ５１）。図１０のＳ２３−Ａでタイマが起動されており、かつ、タイマがまだ停止されていない場合には、カウント中とみなし、Ｓ５２に処理が進む。一方、タイマがまだ起動していない場合、または、図１０のＳ３３−Ａでタイマが停止されている場合には、カウント中でないとみなし、処理を終了する。
【０１４３】
Ｓ５２では、タイマが所定の基準時間（例えば５分）を計測したかどうかを判定する。そして、タイマが所定の基準時間を計測した場合には、Ｓ５３に処理が進む。なお、Ｓ５２で、タイマの計測時間が基準時間を超えていなければ、処理を終了する。
【０１４４】
Ｓ５３では、監視部６１は、禁止条件が充足されたことを映像信号出力可否設定部６２に伝え、映像信号出力可否設定部６２は、映像信号生成部３２において設定されるフラグをＯＦＦにする制御信号を生成するので、映像信号生成部３２においてフラグがＯＦＦに設定される。これにより、映像信号生成部３２は、写真の画像信号の出力を禁止される。
【０１４５】
このため、入力モードが「写真表示」から「写真表示」以外の入力モードに切り替わってから、所定時間が経過したあとに、入力モードを再び「写真表示」に戻したとしても、映像信号生成部３２においてフラグがＯＦＦに設定されているので、不用意に表示部５’に写真が表示されてしまい、プライバシーを守れないという事態を回避することができる。
【０１４６】
なお、所定時間が経過する前であれば、映像信号生成部３２においてフラグがＯＮに設定されているので、入力モードを再び「写真表示」に戻すと、写真を表示部５’に表示することができる。このとき、タイマは、入力モードを再び「写真表示」に戻したことに応じてリセットされる。
【０１４７】
したがって、写真に基づく映像信号を表示部５’に表示している途中で、放送されている各チャンネルの番組やＤＶＤプレーヤ１４、ハードディスクレコーダ１５などの出力を一瞬だけ確認して、再び「写真表示」に入力モードを戻すような場合には、まだ写真の表示が継続しているので、写真の画像データを受信し直す必要がない。
【０１４８】
なお、上記所定時間の設定は任意であるが、プライバシー保護の観点では、高々６０分程度を設定上限とすることが好ましい。また、上記所定時間を操作者が任意に設定できるようにしてもよい。上記所定時間を０に設定すれば、禁止条件(2)と同じになる。
【０１４９】
また、上記のタイムアウト処理を以下の手順に変更してもよい。すなわち、図１２に示すように、タイマが起動されてタイムアウト処理がスタートすると、監視部６１は、タイマが起動しているかどうかを判定し（Ｓ６１）、起動済みであれば、入力モードの切り替えが発生したかどうかを判定する（Ｓ６２）。Ｓ６２で、監視部６１が入力モードの切り替えを検出した場合、さらに、入力モードが「写真表示」に戻ったのかどうかを判定する（Ｓ６３）。
【０１５０】
Ｓ６３で、入力モードが「写真表示」に戻ったことを監視部６１が確認した場合には、タイマをリセットする（Ｓ６４）。この後、処理は図１０に示すＳ３４へ移行するので、表示部５’における写真表示を問題なく行うことができる。
【０１５１】
一方、Ｓ６２で、入力モードの切り替えが検出されなかった場合、およびＳ６３で、入力モードが「写真表示」以外の入力モードに切り替わった場合、監視部６１は、タイマが所定の基準時間を計測したかどうかを判定する（Ｓ６５）。そして、タイマが所定の基準時間を計測したことに応じて、監視部６１は、禁止条件が充足されたことを映像信号出力可否設定部６２に伝え、映像信号生成部３２においてフラグがＯＦＦに設定される（Ｓ６６）。なお、Ｓ６５で、タイマの計測時間が基準時間を超えていなければ、タイマは計測を続ける。
【０１５２】
（禁止条件の充足判断例４）
次に、前述した禁止条件(4)（上記出力部５が、第１の出力信号の出力を開始してから所定の時間が経過したとき）の充足を監視部６１が判断する例を説明する。
【０１５３】
図２に示すように、監視部６１は、入力切替部４’においてどの入力が選択されたか、あるいは、映像信号生成部３２が写真に基づく映像信号（第１の出力信号）を出力しているかどうかについて、少なくとも何れか一方を監視している。
【０１５４】
そして、入力切替部４’において「写真表示」の入力モードが選択される事象が発生した場合、あるいは、映像信号生成部３２が写真に基づく映像信号を出力する事象が発生した場合、その事象の発生開始に応じて、監視部６１はタイマを起動する。
【０１５５】
このあと、図１１に示すフローと同様の手順に従って、所定時間が経過したときに、映像信号生成部３２におけるフラグをＯＦＦにする制御が行われる。
【０１５６】
これにより、写真表示を連続して所定時間以上は行わないようにすることによって、プライバシーの保護を図ることができる。
【０１５７】
〔実施の形態２〕
本発明に係る他の実施の形態について、図１３から図１７に基づいて説明すれば、以下の通りである。
【０１５８】
本実施の形態の特徴点は、前述した禁止条件(5)（第１の出力信号に基づく出力が、出力部５において行われなくなるような指示が、情報処理装置１に与えられたとき）の充足を判断する構成および処理にある。
【０１５９】
上記の特徴によると、例えば、操作者が、入力モードを「写真表示」にして、写真に基づく映像信号を視聴しているときに、写真に基づく映像信号が見えなくなるような操作信号をテレビ受像機１０に与えた場合に、入力モードを「写真表示」に戻したとしても、写真に基づく映像信号が出力されなくなる。
【０１６０】
この特徴を実現するための構成を初めに説明する。
図１３は、赤外線信号を受光して、映像もしくは音声、もしくはその両方の信号を出力するアダプタ（ドングルともいう）を示している。
【０１６１】
このアダプタは筐体１００１と、筐体１００１に接続され、先端が各種端子に分岐するケーブル部１００２を備えている。筐体１００１におけるケーブル部１００２の取り付け部とは反対側の面に、赤外線信号を受光するための集光レンズ１０１１ｂが配されている。
【０１６２】
上記集光レンズ１０１１ｂは、図１４に示すように、テレビ受像機１０にアダプタが取り付け（貼り付け）られた状態において、正面を向くようになっている。また、集光レンズ１０１１ｂの両側には、正面に対して左斜め方向の受光を受け持つ集光レンズ１０１１ａと、正面に対して右斜め方向の受光を受け持つ集光レンズ１０１１ｃとが設けられている。
【０１６３】
このように、異なる角度で３つのレンズを取り付けることによって、異なる角度からの赤外光（携帯端末１７が発する赤外光）を受光することができる。典型的には、プラスマイナス１５度の指向角を持つレンズおよび受光デバイスの組を３つ設けることにより、角度範囲がほぼ９０度の領域をカバーすることが可能になる。
【０１６４】
テレビ受像機１０におけるアダプタの取り付け位置としては、テレビ前面のテレビ視聴に邪魔にならない箇所であればよいが、図１４に示すごとく赤外線通信デバイス１６のリモコン信号受光部の近くに配置することが好ましい。
【０１６５】
なお、アダプタのケーブル部１００２に設けられた映像出力端子（コンポジット端子、Ｓ端子またはＤ端子）は、テレビ受像機１０の映像入力端子に接続される。
【０１６６】
アダプタ形式であっても、テレビに写真を表示した状態で入力を切り替えたりチャンネルを変えて、写真を表示したことを忘れて席を立った場合、他人が入力モードを外部入力に戻すと、テレビに写真が表示され、意図せずに盗み見される恐れがあることには変わりが無い。
【０１６７】
これを防ぐために、アダプタが特定信号を受信したかどうかという禁止条件(5)の充足を判断し、禁止条件(5)が充足されたときに写真の表示を不可にするという解決方法を案出した。なお、本実施の形態において、禁止条件(1)〜(4)の充足を判断する実施の形態１の構成を適用できることはいうまでもない。
【０１６８】
以下、禁止条件(5)の充足を判断する構成および処理に関して詳細に述べる。
図１５は、上記のアダプタが、禁止条件(5)の充足を判断する構成を備えている場合の内部構成を示すブロック図である。
【０１６９】
赤外線通信デバイス１０１（本発明に係る無線通信部）は、画像データを受信するだけでなく、テレビ機能に対するリモコン信号を傍受する。また、赤外線通信デバイス１０１は、情報処理装置１のテレビ機能以外の機能に対する操作リモコン信号（例えば、写真表示を禁止する指示や、画像蓄積部３１に蓄積された画像ファイルを消すための操作リモコン信号）を受信してもよい。
【０１７０】
受信信号判別部１０２は、赤外線通信デバイス１０１の出力に接続され、赤外線通信デバイス１０１の受信した信号が、携帯端末１７からアダプタに対して送信された、画像データなのかテレビ機能に対するリモコン信号なのかを判別する。この判別に従って、画像データの信号は、受信画像処理部１０４に渡され、テレビ機能に対するリモコン信号は、傍受信号処理部（信号傍受部）１０３に渡される。
【０１７１】
なお、上記受信信号判別部１０２および傍受信号処理部１０３は、本発明に係る信号処理部を構成している。
【０１７２】
受信画像処理部１０４に渡された画像データの信号は、画像蓄積部１０５に蓄積され、映像信号生成部１０８によって読み出される。
【０１７３】
傍受信号処理部１０３は、受信信号判別部１０２の出力に接続され、テレビ機能に対するリモコン信号のうち、特定のリモコン信号（特定信号）を受信した場合に、特定のリモコン信号を受信したことを知らせる検出信号を映像信号出力可否設定部１０６に送る。
【０１７４】
映像信号出力可否設定部１０６は、上記検出信号を傍受信号処理部１０３から受け取ったことによって、禁止条件(5)が充足されたと判断し、映像信号生成部１０８において設定されるフラグをＯＦＦにする制御信号を生成する。この結果、映像信号生成部１０８においてフラグがＯＦＦに設定される。これにより、映像信号生成部１０８は、写真の画像信号の出力を禁止されるので、写真の画像信号が映像出力端子１０９（本発明に係る出力部であり、図１３のケーブル部１００２に設けられた映像出力端子に相当する）に供給されない。
【０１７５】
なお、映像信号生成部１０８が写真の画像信号を出力することを禁止する指示を、操作者が映像信号出力可否設定部１０６に直接与えることができる操作部１０７を、アダプタに設けることもできる。
【０１７６】
上記特定信号とは、第１の出力信号（写真の映像信号）に基づく出力が、出力部（表示部５’）において行われなくなるような指示を情報処理装置（テレビ受像機１０）に与える信号（テレビの表示が、アダプタからの入力される映像信号を表示することを中止する可能性をもつ信号）であるが、具体例を挙げると以下のとおりである。
【０１７７】
(a)  テレビ電源を切るＯＦＦ信号、または、トグルで状態変化する（ＯＮの状態で受信するとＯＦＦになりＯＦＦの状態で受信するとＯＮになる）電源信号
上記ＯＦＦ信号または電源信号は、第１の出力信号の出力の可否を設定する操作信号とみなすことができる。すなわち、ＯＦＦ信号または電源信号によって、一旦、テレビ受像機１０の電源をＯＦＦにすると、映像信号生成部１０８においてフラグがＯＦＦに設定される。したがって、再度電源をＯＮにして、入力モードを「写真表示」にしても、画像蓄積部１０５に蓄積された画像データに基づく映像信号が表示されることはない。
【０１７８】
(b)  入力切替信号（入力モード切替信号）
入力切替信号は、テレビの映像入力端子から入力された写真の映像信号を表示している状態から、チューナの入力や別の映像入力端子からの入力に、入力モードを切り替える信号であり、複数の入力の１つを選択する操作信号とみなすことができる。
【０１７９】
(c)  チャンネル選択信号
チャンネル選択信号は、テレビの映像入力端子から入力された写真の映像信号を表示している状態から、チューナの入力に切り替える信号であり、複数の入力の１つを選択する操作信号とみなすことができる。
【０１８０】
上記の構成において、禁止条件(5)の充足を判断する処理の手順を図１６のフローチャートに基づいて説明すれば、以下のとおりである。
【０１８１】
まず、受信信号判別部１０２は、赤外線通信デバイス１０１を介して赤外線信号を受信したことを確認すると（Ｓ７１）、携帯端末１７からアダプタに対して送信された画像データであるか、テレビ機能に対するリモコン信号であるかを判別する（Ｓ７２）。
【０１８２】
Ｓ７２で、受信信号判別部１０２は、画像データの受信を確認した場合、画像データの受信を受信画像処理部１０４に知らせる。これにより、受信画像処理部１０４は、画像蓄積部１０５に画像ファイルが存在するかどうかを確認する（Ｓ７３）。
【０１８３】
また、Ｓ７２で、受信信号判別部１０２は、テレビ機能に対するリモコン信号の受信を確認した場合、リモコン信号の受信を傍受信号処理部１０３に知らせる。これにより、傍受信号処理部１０３は、上述した(a)〜(c)の各特定信号が、リモコン信号に含まれているかどうかを確認する（Ｓ７４）。
【０１８４】
あるいは、Ｓ７２で、受信信号判別部１０２が、画像データの受信もリモコン信号の受信も確認できなかった場合、およびＳ７４で、傍受信号処理部１０３が特定信号を確認できなかった場合には、禁止条件(5)の充足を判断する処理を終了する。実際には、その他の信号に従った処理（音量調整、コントラスト調整、タイマ設定など）がテレビ受像機１０において引き続きなされる。
【０１８５】
上記のＳ７３で画像ファイルが存在しなければ、受信画像処理部１０４は、赤外線信号（通信データ）から画像ファイルを取り出し、画像蓄積部１０５に蓄積し（Ｓ７６）、新しい画像ファイルを画像蓄積部１０５に蓄積したことを映像信号出力可否設定部１０６に知らせる。
【０１８６】
一方、Ｓ７３で画像ファイルが存在すれば、受信画像処理部１０４は、画像蓄積部１０５からその画像ファイルを削除し（Ｓ７５）、赤外線信号から取り出した画像ファイルを画像蓄積部１０５に蓄積する。なお、Ｓ７３およびＳ７５の処理は、画像蓄積部１０５が写真１枚分の画像ファイルを蓄積する記憶容量しか持たない場合に実行される処理なので、画像蓄積部１０５の記憶容量が充分大きい場合には、省略することができる。
【０１８７】
新しい画像ファイルが画像蓄積部１０５に蓄積されたことが、受信画像処理部１０４から映像信号出力可否設定部１０６に知らされると、映像信号出力可否設定部１０６は、写真の画像信号を出力することを映像信号生成部１０８に許可するために、映像信号生成部１０８において設定されるフラグをＯＮにする制御信号を生成し、映像信号生成部１０８に出力する（Ｓ７７）。
【０１８８】
Ｓ７７の処理のあとでは、入力モードを「写真表示」に切り替えても、出力許可の判定そのものが行われないので、映像信号生成部１０８から映像出力端子１０９に、写真の映像信号が問題なく出力され、テレビ受像機１０の表示部５’に表示される。
【０１８９】
上記のＳ７４で傍受信号処理部１０３が特定信号を確認した場合には、特定信号を確認したことを知らせる検出信号を映像信号出力可否設定部１０６に出力する。これに応じて、映像信号出力可否設定部１０６は、禁止条件(5)が充足されたと判断し、映像信号生成部１０８において設定されるフラグをＯＦＦにする制御信号を生成するので、映像信号生成部１０８においてフラグがＯＦＦに設定される（Ｓ７８）。これにより、映像信号生成部１０８は、写真の画像信号の出力を禁止される。
【０１９０】
なお、Ｓ７８の処理に加えて、Ｓ７９のように、画像蓄積部１０５に蓄積された画像ファイルを削除する処理を実行してもよい。
【０１９１】
また、映像信号生成部１０８が写真の画像データから映像信号を生成し、映像出力端子１０９に供給するか、またはブルーバック画面の映像信号を生成し、映像出力端子１０９に供給するかを振り分ける処理を、図６のフローチャートに基づいて説明した同じ手順に従って実行することもできる。この場合、図６のＳ１０において、映像信号を出力するあて先が、入力切替部４’ではなく映像出力端子１０９に代わる。
【０１９２】
以上の説明は、禁止条件(5)の充足を判断する構成をアダプタに内蔵した場合について行った。しかし、同様の構成を、図２に示したテレビ受像機１０に内蔵することも可能である。そのような構成例を図１７に示す。
【０１９３】
図１７の各部の働きについては、全て既に説明したとおりである。赤外線通信デバイス１０１、受信信号判別部１０２および受信画像処理部１０４が、図１に示すデータ取得部２に相当する。
【０１９４】
図１８に、情報処理装置１あるいはテレビ受像機１０に写真を送信する携帯端末１７（携帯電話）の例を示す。
【０１９５】
携帯端末１７の写真表示／送信のアプリケーションを起動すると、図１８（ａ）のように、視聴したい画像の選択画面となる。十字キーでメニューのカーソルを動かして、決定キーを押すと、図１８（ｂ）のように、携帯端末１７の表示画面に、画像が表示される。
【０１９６】
その状態で「＊」キーを押すと、表示された画像に対応する画像データが赤外線通信によって情報処理装置１あるいはテレビ受像機１０に送信される。また、「＃」キーは「消す」ボタンであり、情報処理装置１あるいはテレビ受像機１０で表示されている画像を消すためのコマンドが赤外線通信によって送信される。
【０１９７】
また、携帯端末１７のテレビ操作のアプリケーションを起動すると、キー操作に応じて情報処理装置１あるいはテレビ受像機１０を操作する操作コマンドが、赤外線通信によって送信される。図１８（ｃ）のような操作の選択画面で、十字キーでメニューのカーソルを動かして決定キーを押すと、操作コマンドが赤外線通信によって送信される。
【０１９８】
本発明に係る情報処理装置は、データを取得するデータ取得部と、前記取得したデータより第１の出力信号を生成する出力信号生成部と、前記出力信号生成部から供給される第１の出力信号、または前記出力信号生成部とは別の部位から供給される第２の出力信号のいずれかに切り替える切替部と、前記切替部で切り替えた出力信号を出力する出力部とを備え、前記切替部が前記第１の出力信号から前記第２の出力信号に切り替えた後に、再び前記第１の出力信号に切り替えた場合において、前記出力信号生成部は、前記第２の出力信号に切り替える前に前記データ取得部が取得したデータに基づく出力信号を生成しない構成としてもよい。
【０１９９】
本発明に係る情報処理装置は、データを取得するデータ取得部と、前記取得したデータより第１の出力信号を生成する出力信号生成部と、前記出力信号生成部から供給される第１の出力信号、または前記出力信号生成部とは別の部位から供給される第２の出力信号のいずれかに切り替える切替部と、前記切替部で切り替えた出力信号を出力する出力部とを備え、前記切替部が前記第１の出力信号から前記第２の出力信号に切り替えた場合において、前記出力信号生成部は、前記データ取得部が取得したデータに基づく出力信号を生成しない構成としてもよい。
【０２００】
本発明に係る情報処理装置は、データを取得するデータ取得部と、前記取得したデータより第１の出力信号を生成する出力信号生成部と、前記第１の出力信号の出力の可否を設定する出力可否設定部と、前記出力信号生成部から供給される第１の出力信号、または前記出力信号生成部とは別の部位から供給される第２の出力信号のいずれかに切り替える切替部と、前記切替部で切り替えた出力信号を出力する出力部とを備え、前記出力可否設定部が前記第１の出力信号の出力を可と設定する場合に、前記出力信号生成部は、前記データ取得部が取得したデータに基づく出力信号を生成する構成としてもよい。
【０２０１】
本発明に係る情報処理装置において、前記第１の出力信号の出力を不可とする指示を受け付ける操作部をさらに備え、前記操作部から前記第１の出力信号の出力を不可とする指示を受け付けた場合に、前記出力可否設定部が出力を不可と設定する構成でもよい。
【０２０２】
本発明に係る情報処理装置は、前記切替部が前記第１の出力信号から前記第２の出力信号に切り替えてから所定時間以内に、再び前記第１の出力信号に切り替えない場合に、前記出力可否設定部が出力を不可と設定する構成でもよい。
【０２０３】
本発明に係る情報処理装置は、データを取得するデータ取得部と、他の機器への操作信号を傍受する信号傍受部と、前記取得したデータより第１の出力信号を生成する出力信号生成部と、前記第１の出力信号の出力の可否を設定する出力可否設定部と、前記出力信号生成部から供給される第１の出力信号に基づき出力を行なう出力部とを備え、前記信号傍受部が他の機器への操作信号のうち特定の操作信号を傍受する場合に、前記出力可否設定部が出力を不可と設定し、前記出力可否設定部が前記第１の出力信号の出力を可と設定する場合に、前記出力信号生成部は、前記第１の出力信号を生成する構成でもよい。
【０２０４】
本発明に係る情報処理装置において、前記データ取得部は、光を用いたデータ通信により前記データを取得する構成でもよい。
【０２０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２０６】
最後に、情報処理装置１およびテレビ受像機１０の各ブロック、特に、データ取得部２、出力信号生成部３、出力可否設定部６は、ハードウェアロジックによって構成してもよいし、次のようにＣＰＵを用いてソフトウェアによって実現してもよい。
【０２０７】
すなわち、情報処理装置１およびテレビ受像機１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである情報処理プログラムのプログラムコード（実行形式プログラム、中間コードプログラム、ソースプログラム）をコンピュータで読み取り可能に記録した記録媒体を、上記情報処理装置１およびテレビ受像機１０に供給し、そのコンピュータ（またはＣＰＵやＭＰＵ）が記録媒体に記録されているプログラムコードを読み出し実行することによっても、達成可能である。
【０２０８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０９】
また、上記情報処理装置１およびテレビ受像機１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２１０】
本発明の情報処理装置および情報処理方法は、取得した信号から主情報を取り出し、主情報に基づく出力をユーザに提示する機能を有する装置全般において、その主情報に基づく出力をユーザに提示するにあたって、条件を付けるといった用途に適用することができる。
【図面の簡単な説明】
【０２１１】
【図１】本発明に係る情報処理装置の要部の一構成例を示すブロック図である。
【図２】テレビ受像機に、図１に示す構成を組み込んだ場合の内部構成の一例を示すブロック図である。
【図３】テレビ受像機の外観を示す正面図である。
【図４】テレビ受像機における入力切替に伴う出力状態の変化を示す動作説明図である。
【図５】赤外線通信デバイスが携帯端末から受信したデータが、画像蓄積部に蓄積されるまでの処理を示すフローチャートである。
【図６】映像信号生成部が写真の画像データから映像信号を生成し、入力切替部に供給するか、またはブルーバック画面の映像信号を生成し、入力切替部に供給するかを振り分ける処理を示したフローチャートである。
【図７】禁止条件の充足判断の一例を示すフローチャートである。
【図８】図７に示すフローチャートの変形例を示すフローチャートである。
【図９】第１の出力信号に基づく出力を、操作者が意図的に禁止する場合の処理手順を示すフローチャートである。
【図１０】禁止条件の充足判断の他の例を示すフローチャートである。
【図１１】図１０に示すタイムアウト処理の詳細手順を示すフローチャートである。
【図１２】図１１に示すタイムアウト処理の詳細手順の変形例を示すフローチャートである。
【図１３】赤外線信号を受光して、映像もしくは音声、もしくはその両方の信号を出力するアダプタの外観を示す説明図である。
【図１４】上記アダプタのテレビ受像機に対する取り付け状態を示す正面図である。
【図１５】上記アダプタの内部構成の要部を示すブロック図である。
【図１６】上記アダプタが行う禁止条件の充足判断の例を示すフローチャートである。
【図１７】テレビ受像機に、図１および図１５に示す構成を組み込んだ場合の内部構成の一例を示すブロック図である。
【図１８】（ａ）〜（ｃ）は、情報処理装置あるいはテレビ受像機に写真を送信する携帯端末の例を示す正面図である。
【図１９】テレビ受像機に第１の出力信号に基づく出力を行わせない場合に、表示する画面の一例を示す正面図である。
【符号の説明】
【０２１２】
１  情報処理装置
２  データ取得部
３  出力信号生成部
４  切替部
４’入力切替部（切替部）
５  出力部
５’表示部
６  出力可否設定部
１０  テレビ受像機（情報処理装置）
１６  赤外線通信デバイス（データ取得部）
１８  受信画像処理部（データ取得部）
３１  画像蓄積部（出力信号生成部）
３２  映像信号生成部（出力信号生成部）
６１  監視部（出力可否設定部）
６２  映像信号出力可否設定部（出力可否設定部）
１０１  赤外線通信デバイス（無線通信部）
１０２  受信信号判別部（信号処理部）
１０３  傍受信号処理部（信号処理部）
１０６  映像信号出力可否設定部（出力可否設定部）
１０９  映像出力端子（出力部）
１００１  アダプタ（情報処理装置）の筐体
【図１】
0004732129.tif 000002
【図２】
0004732129.tif 000003
【図３】
0004732129.tif 000004
【図４】
0004732129.tif 000005
【図５】
0004732129.tif 000006
【図６】
0004732129.tif 000007
【図７】
0004732129.tif 000008
【図８】
0004732129.tif 000009
【図９】
0004732129.tif 000010
【図１０】
0004732129.tif 000011
【図１１】
0004732129.tif 000012
【図１２】
0004732129.tif 000013
【図１３】
0004732129.tif 000014
【図１４】
0004732129.tif 000015
【図１５】
0004732129.tif 000016
【図１６】
0004732129.tif 000017
【図１７】
0004732129.tif 000018
【図１８】
0004732129.tif 000019
【図１９】
0004732129.tif 000020